(57)【要約】  特に家具の側壁（３）にシェルフ（２）を結合するための結合装置（１）であって、シェルフ（２）に横方向に設けられるように構成されており、且つ、第１の軸線方向座部（８）に隣接した第２の座部（１２）内に回転可能に配置可能な第１の冠形状の頭部（１１）が設けられたねじ（１０）の第１の軸部（９）の回転可能な連結のための第１の座部（８）が設けられた、第１の穴（５）の中に組み込まれた円筒体（４）を備える、結合装置（１）に関する。円筒体（４）には、円筒体（４）の外部に突出しておりシェルフ（２）の中に設けられるように構成された第２の穴（２８）内に収容されている第１の冠形状の頭部（１１）と相互作用するピニオン（２１）の一時的な連結のための、第２の座部（１２）に対して垂直であり且つ第２の座部に接続されている第３の座部（１８）が設けられている。【選択図】  図２
2018529892.tif 000002
【特許請求の範囲】
【請求項１】
特に家具の側壁（３）にシェルフ（２）を結合するための結合装置であって、
前記シェルフ（２）に横方向に設けられるように構成される第１の穴（５）に組み込まれ得る円筒体（４）を備え、
前記第１の穴（５）が、軸線方向の第１の座部（８）を有しており、該第１の座部（８）が、該第１の座部（８）に隣接した第２の座部（１２）の中に回転可能に配置され得る冠形状の第１の頭部（１１）が設けられたねじ（１０）の第１の軸部（９）と回転可能に連結するようになっている、結合装置（１）において、
前記円筒体（４）には第３の座部（１８）が設けられており、前記第３の座部（１８）が、前記第２の座部（１２）に対して垂直で、前記第２の座部に接続されており、前記第３の座部（１８）が、前記冠形状の第１の頭部（１１）と相互作用するピニオン（２１）の一時的な連結のためのものであり、前記ピニオン（２１）が、前記円筒体（４）に対して外方に突出し、前記シェルフ（２）に設けられるように構成された第２の穴（２８）内に収容されることを特徴とする、結合装置（１）。
【請求項２】
下方の領域において開口している前記第３の座部（１８）が、単一のシェル（６）として又は第１の半割りシェル（７ａ）及び第２の半割りシェル（７ｂ）として提供される前記円筒体（４）に、前記第１の座部（８）の軸線に対して直角に、したがって前記第１の軸部（９）の軸線に対して直角に設けられており、前記ねじ（１０）の前記第１の頭部（１１）が前記円筒体（４）を越えて突出してはおらず、前記ピニオン（２１）の第２の軸部（２０）が、前記第３の座部（１８）内一時的に配置可能であり、前記ピニオン（２１）の第２の軸部（２０）には、前記円筒体（４）の外側に突出し前記第２の座部（１２）に収容された前記第１の頭部（１１）に運動学的に連結されるように構成されている第２の頭部（２２）が設けられていることを特徴とする、請求項１に記載の結合装置。
【請求項３】
前記ピニオン（２１）の前記第２の軸部（２０）が、前記円筒体（４）と選択的に且つ一時的に組み合わされることができ、前記第２の軸部（２０）には環状の溝（２３）が設けられており、前記環状の溝（２３）は、前記第２の軸部（２０）の端部の近傍に設けられており、前記第３の座部（１８）の端部の近傍にて突出している環状の突条（２４）と選択的に相互作用することを特徴とする、請求項１及び２に記載の結合装置。
【請求項４】
前記ピニオン（２１）の前記第２の頭部（２２）が、前記円筒体（４）の外周面（１９ａ、１９ｂ）から突出しており、
前記ピニオン（２１）の前記第２の頭部（２２）が、前記シェルフ（２）の内部にあるように又は前記シェルフ（２）の上面（２９）と実質的に面一になるように、前記シェルフ（２）に設けられるように構成されている前記第２の穴（２８）によって構成されている第４の座部（２７）内に収容されており、
前記シェルフ（２）が、前記上面（２９）の反対側にある側壁に、前記円筒体（４）の前記第３の座部（１８）と軸線を整列して設けられるように構成された第４の穴（３５）を有することを特徴とする、請求項１及び３に記載の結合装置。
【請求項５】
前記ピニオン（２１）の前記第２の頭部（２２）が、前記冠形状の第１の頭部（１１）を作動させるように構成されるともに、前記円筒体（４）を前記シェルフ（２）の内側にロックする引き抜き防止部又はボルトの機能も有することを特徴とする、請求項１及び４に記載の結合装置。
【請求項６】
前記ピニオン（２１）の前記第２の頭部（２２）の第２の上端部（３０）には、加圧ツールの係合のための手段が存在し、前記手段が、ツールを押圧によって中に配置することができる第５の座部（３１）によって構成されていることを特徴とする、請求項１及び５に記載の結合装置。
【請求項７】
前記側壁（３）に横方向に、前記ねじ（１０）の前記第１の軸部（９）の第３の端部（３４）の相互接続のための第３の穴（３２）が設けられており、前記第１の軸部（９）には、合板用のねじ部が設けられているか、又は前記第３の穴（３２）内に配置されたブシュ（３３）と組み合わされることを特徴とする、請求項１及び６に記載の結合装置。
【請求項８】
前記円筒体（４）が、前方連結によって互いに軸線方向に連結可能な前記第１の半割りシェル（７ａ）及び前記第２の半割りシェル（７ｂ）から成り、前記第１の半割りシェル（７ａ）が、前記第１の軸部（９）を回転式に連結するための前記軸線方向の第１の座部（８）を画定するように、実質的に円筒形で中空の形状を有し、前記ねじ（１０）の前記第１の頭部（１１）が、前記第１の半割りシェル（７ａ）に向いている前記第２の半割りシェル（７ｂ）の平坦部分（１４）を画定するように弦に従って切断されている端部（１３）の近傍に設けられている前記第２の座部（１２）内に、回転可能に配置され得ることを特徴とする、請求項１〜７のうちの１つ又は複数に記載の結合装置。
【請求項９】
前記第２の座部（１２）が、前記第１の座部（８）が配置される面に対して垂直な面に沿って設けられており、実質的に半円形の形状を有し、２つの仕切り（１５ａ、１５ｂ）の間で機能し、前記仕切り（１５ａ、１５ｂ）のうち、前記第１の半割りシェル（７ａ）に向いている前方の前記仕切り（１５ａ）に、前記第１の座部（８）と同じ軸線に沿った前記第１の軸部（９）の設置及び通過のための半円形の開口部（１６）が設けられていることを特徴とする、請求項１及び８に記載の結合装置。
【請求項１０】
前記ねじ（１０）の前記第１の頭部（１１）の一部が、前記第２の座部（１２）から突出しており、前記第１の半割りシェル（７ａ）から前記第２の半割りシェル（７ｂ）の方向に突出している第１のタブ（１７）よりも下に存在し、
前記第１のタブ（１７）が、前記第２の半割りシェル（７ｂ）と組み合わされたときに、前記第２の半割りシェル（７ｂ）の前記切断された端部（１３）の上に存在するようになるまで、その下にある前記第１の冠形状の頭部（１１）の上に存在するようになるまで、円弧に沿って延びていることを特徴とする、請求項１及び９に記載の結合装置。
【請求項１１】
前記第２の半割りシェル（７ｂ）が、前記切断端部（１３）から始まって前記前方の仕切り（１５ａ）に設けられた前記開口部（１６）を取り囲むようにして、前記第１の半割りシェル（７ａ）の方向に前記第１の座部（８）と同軸である円弧に従うように突出して、前記第１の半割りシェル（７ａ）が前記第２の半割りシェル（７ｂ）に軸線方向に連結している間、前記第１の座部（８）内に前記第１の座部（８）の内側側面に隣接して配置されるようになっている、第２のタブ（２５）を有し、
前記ねじ（１０）の前記第１の軸部（９）の第１の端部（２６）が、前記第２のタブ（２５）に回転可能に載置され、もって前記第１の冠形状の頭部（１１）から突出することを特徴とする、請求項１及び１０に記載の結合装置。
【発明の詳細な説明】
【技術分野】
【０００１】
本発明は、特に家具の側壁にシェルフを結合するための結合装置に関する。
【背景技術】
【０００２】
現在、出願第ＰＮ２００５Ｕ００００３５号とともに出願された伊国実用新案第２６２９９５号が知られており、これは、家具の互いに直角に当接する２つの構造要素の着脱可能な接続のための、結合部材であって、第１の構造要素と連携させることができ且つ第２の構造要素と連携させることのできる固定要素に係合するように構成されている収容体と、前記前記収容体の中に配置され且つ前記前記固定要素と協働して互いに前記構造要素を固定するように構成されている作動要素と、を備える結合部材において、前記固定要素がねじの軸部と一体である歯付き頭部を備え、前記頭部が前記収容体の中に回転可能に連結されており、前記ねじ軸部が前記収容体から突出しており、前記作動要素が前記頭部を作動させてねじ軸部を第２の構造要素の中に螺入するように構成されているクラウンギヤを備えることを特徴とする、結合部材、を請求している。
【０００３】
この手段には欠点がある。すなわち、結合部材の構造の複雑さ、パネルの厚さに応じた様々なサイズ／寸法の結合部材を用意する必要があること、結合部材を最小厚さが厚いパネル上で使用する必要があること、パネルの１つの縁部に影響を与えるように付着されなければならない平坦な縁部を結合部材が露出することによる、少なからぬ美観上の影響、並びに、実行するのが複雑である収容体及びピンの設置のために、パネルに２つの穴／座部を設ける必要があること、に起因する高い製造コスト及び組み立てコストが実際上目を引く。
【０００４】
収容体は円筒形形状を有し、２つの構成要素へと直径方向に分割され、これらの構成要素は、クラウンギヤ及び固定要素をクランプするために結合されなければならない。クランプの程度が高いと歯車間で最適な相互作用ができない場合があり、また一方で、遊びの存在下で提供されるクランプでは、歯が互いに詰まる可能性があるため、歯車を作動させるのが困難になる場合がある。
【０００５】
更に、クラウンギヤ及び固定要素は収容体に埋設されている。クラウンギヤの保守を行う場合、パネルから収容体全体を取り外す必要があり、したがって、内部の構成要素に到達するために、収容体を開く、実際には破壊する必要がある。実際には、保守を行う場合には、結合部材全体を交換する必要がある。更にこの場合、パネルもまた損なわれる。
【０００６】
パネルなどの構造要素の接続部を得るための手段を開示する国際公開第２００８／０７６０８９号も知られている。この手段は、パネルに横方向に設けられた穴の中に配置可能なねじ付きブシュ及びフレームを備える。フレームの内部には以下のものが設置される。冠形状の頭部が設けられた第１のねじ、外側にねじ部を有し且つフレームに軸線方向に設けられた第１の相補的なねじ部と回転可能に組み合わされたブシュ、予圧縮されたばね、かかるばねと第１のねじの軸部とを収容するための座部を頭部に有する第２のねじ、かかる第１のねじに対して横方向に配置され且つピニオン・クラウンギヤシステムに従い頭部が第１のねじの頭部と相互作用する第３のねじ、である。
【０００７】
フレームの中に収容される要素は、第２のねじを所定位置に維持するフレームの一方の端部に軸線方向に設けられた第２のねじ部と回転可能に関連付けられた第１の相補的なねじ付きのリングによって、及び、第３のねじを所定位置に維持するフレームの一方の端部に接線方向に設けられた第３のねじ部と回転可能に組み合わされた相補的な第２のリングによって、フレームの構造に動かないように固定される。
【０００８】
図６は、パネルに第２のねじの調節を可能にするための穴が設けられる手段を示している。
【０００９】
この手段もまた欠点を有する。第３のねじは、一度フレームに螺着されると、その位置に固定され、取り外し可能ではなくなり、したがって、動作不良又は摩耗を起こした場合に如何なる保守をも行うことができない。
【００１０】
更に、この手段では、第１のねじの頭部は、フレームに軸線方向に設けられている第１のねじ部と回転可能に組み合わされた外側に相補的なねじ部を有するブシュとは、対照的に機能する。すなわち、ブシュが緩むと、第１のねじの頭部の、第２のねじの頭部との最適な相互作用がなくなり、この結果、調節が実現不可能になる。
【００１１】
ブシュによる第２のねじのフレームへの回転可能な接続に関連して、同様の所見を述べることができる。
【００１２】
この手段は、装置を構成する構成要素の数が多いことに起因して、構造的に複雑であり、手間がかかる、フレームへの様々な構成要素の事前組み付けを必要とし、更には、部分的に予圧縮されるばねを使用する。
【００１３】
リングギヤ、リングギヤの軸部を収容するシェル、コイルばね、ピニオンギヤ、連結シャフト、前部支持体によって構成される、本体又は構造ハウジング又はフレームの中に収容された結合装置を開示している米国特許第第５７４３６７０号も知られている。
【００１４】
連結シャフトは、一方の端部がシェルの中に収容される円筒形部分と、キー用の長手方向保持スロットが設けられた円筒形中央部分と、円筒形カラーと、前部支持体の中に収容され且つねじ部を有さない部分及びねじ付きの端部を有する長手方向シャフトとを備える円筒形連結部分によって構成される、複数部分からなる。
【００１５】
現在知られている手段の組み立て方法は、多数の構築ステップを要し、更に、この手段は、装置を構成する構成要素の数が多いことに起因して、構造的に複雑であり、手間がかかるフレームへの様々な構成要素の事前組み付けを必要とし、更には、シェル及び前部支持体を本体に固定するための要素として、部分的に予圧縮されるばね、並びに追加の機械的手段又は溶接部又は接着剤を使用する。
【００１６】
この手段も、必要とされる構成要素の数が多いことに起因して、並びに、構成要素の事前組み付けのために必要とされるコスト及び時間の観点から、製造コストに関して特に高価となる。
【００１７】
最後に、この背景技術の文書には、作動要素の、すなわちピニオンギヤの保守又は交換は、時間がかかり、複雑であり、労力がかかるものであることが記載されており、その理由として、ピニオンギヤが組み立て中に組み付けられる最初の要素であるので、結合部材の完全な分解が必要となること、及び、ピニオンギヤの頭部が開口部よりも大きい直径を有するので、これを開口部から引き抜くのが可能ではないことが挙げられている。
【００１８】
パネルなどの構造要素を接続するための手段を開示している欧州特許出願公開第１４６９２０６号も知られている。この手段は、ねじ付きのブシュと、収容体又は収容頭部と、パネルに横方向に設けられた穴の中に配置可能なピンなどの複数部分とを備える。
【００１９】
円筒形の頭部は、結合部材の軸線に対して垂直な軸線に沿って延びており、第１の頭部部分及び第２の頭部部分によって構成されている。頭部は、外歯を有するねじ付き管のような形状のギヤと、同軸のスリーブの外面上に環状の態様で設けられている歯付きリムによって構成された部分と、ピンの一方の端部とを内部に収容する。
【００２０】
ピボットは、以下のもの、すなわち、頭部内に配置可能であり、端部が六角形のような形状で作動キーと噛合するように構成されている、スリーブの雌ねじと噛合するように構成されたねじ付きの第１の軸部と、側面上に位置決めキーの挿入のための平滑な区域が存在する円筒形の中央部分と、ブシュと噛合するように構成されたねじ付きの第２の軸部とによって構成される複数部分である。
【００２１】
この手段もまた、構造的に複雑であり、手間がかかり、頭部への様々な構成要素の事前組み付けを必要とする。更に、第１の頭部部分及び第２の頭部部分の噛合には、高い精度も必要とされるが、その理由は、当該部分のスリーブの歯付きリムが、軸線方向の座部の切り下げ部分に当接するように軸線方向に進入し、ギヤの歯と半径方向において噛み合うように注意しながら、第１の頭部部分及び第２の頭部部分を、ピン及び対応する心出し穴によって互いに前方で結合させる必要があるからである。
【００２２】
更に、第１の頭部部分及び第２の頭部部分を、直径方向に且つ締結方向に対して垂直な軸線に沿って、互いに噛合させることにより、当該発明の使用中に必然的に張力が生じ、これは第１の頭部部分及び第２の頭部部分の連結を解除する傾向があることが、確認されている。
【００２３】
更に、この背景技術の文書においてさえも、結合部材をパネル内に挿入する前にギヤを組み付けなければならないために、結合部材の完全な分解が必要となることから、作動要素の、すなわちギヤの保守又は交換は、時間がかかり、複雑であり、労力を要するものであることが、確認されている。
【００２４】
更に、当該部分が、雌ねじとして機能する１組の外歯を有するねじ付き管のような形状のリムによって構成されており、当該部分のスリーブに設けられたねじ付き穴に使用中に進入することが可能な長さ、そして更にブシュに使用中に進入することが可能な長さを有する必要があるピンなどの雄要素を結合部材に挿入することを、使用者に強いることが留意される。
【００２５】
結合部材は次いで、一部が一方のパネルに、一部が他方のパネルに嵌め込まれるが、複数（パネル１枚あたり少なくとも１回）の組み付け作業が必然的に生じることに加えて、パネルの包装前に当該部分を事前組み付けする可能性を限定する、パネルに組み付けられたピンの空間占拠に関連する問題を生じさせる。
【００２６】
最後に、ピンの両端部が螺着されるので、結合部材の取り外し中に、スリーブ・ピン連結又はブシュ・ピン連結のどちらの連結が外れることになるのかを、前もって知ることができないことが留意される。
【発明の概要】
【発明が解決しようとする課題】
【００２７】
本発明の目標は、構造的にコンパクトであり、薄い厚さを有するパネル上でも使用可能であり、取り付けのために必要なパネルに対する加工を最小限に抑え、パネルに対するこの加工によって生じる空間が本発明を提供するために最大限に利用されるようになっている結合装置を提供することによって、上記の欠点を取り除くことである。
【００２８】
この目標内で、本発明の目的は、パネルに対する影響を最小限に抑え、作動が単純且つパネル及び結合部材の両方の機械加工公差に拘わりなく長い期間にわたり有効である結合装置を提供することである。
【００２９】
別の重要な目的は、結合部材及びパネルの完全性を維持しながら、作動要素に対する保守を迅速且つ容易に行うことが可能な発明を提供することである。
【００３０】
別の目的は、ギヤ同士を離間する傾向のある力を補償して最適な作動の実現を可能にする結合装置を提供することである。
【００３１】
別の目的は、パネルへの組み付けが単純且つ容易である結合装置を提供することである。
【００３２】
別の目的は、製造コストが低く、通常の知られているシステムが設けられ得る結合装置を提供することである。
【課題を解決するための手段】
【００３３】
以下でより明らかになるであろう前記目標並びに前記目的及び他の目的は、特にシェルフを家具の側壁に結合するための結合装置であって、シェルフに横方向に設けられるように構成される第１の穴に組み込まれ得る円筒体を備え、前記第１の穴が、軸線方向の第１の座部を有しており、該第１の座部が、該第１の座部に隣接した第２の座部の中に回転可能に配置され得る冠形状の第１の頭部が設けられたねじの第１の軸部と回転可能に連結するようになっている、結合装置において、前記円筒体には第３の座部が設けられており、前記第３の座部が、前記第２の座部に対して垂直で、前記第２の座部に接続されており、前記第３の座部が、前記冠形状の第１の頭部と相互作用するピニオンの一時的な連結のためのものであり、前記ピニオンが、前記円筒体に対して外方に突出し、前記シェルフに設けられるように構成された第２の穴内に収容されることを特徴とする、結合装置によって達成される。
【００３４】
本発明のさらなる特徴及び利点は、添付の図面において非限定的な例として図示される、本発明による結合装置の具体的であるが排他的ではない実施形態の詳細な説明から、より明らかになるであろう。
【図面の簡単な説明】
【００３５】
【図１】２つの半割りシェルによって構成された円筒体を有する結合装置の分解図である。
【図２】結合装置の断面図である。
【図３】図２の詳細図である。
【図４】円筒体の側面斜視図である。
【図５】ピニオンと冠形状の頭部を有するねじとがない状態の、円筒体の断面図である。
【図６】単一の構成要素から成る円筒体を有する、図１と同様の図である。
【図７】単一の構成要素によって構成された円筒体を有する、図２と同様の図である。
【発明を実施するための形態】
【００３６】
以下の例示的な実施形態では、特定の例に関連して与えられる個々の特徴は、実際には、他の例示的な実施形態において存在する他の異なる特徴と互いに交換可能である。
【００３７】
更に、特許取得の過程において既知と見なされるどのようなことも、権利請求されずに権利不請求の対象となると理解されたい。
【００３８】
図面を参照すると、参照番号「１」は、特にシェルフ２を家具の側壁３に結合するための結合装置を示している。
【００３９】
結合装置１は、シェルフ２の中にその厚さの一部を通って横方向に設けられるように構成されている相補的な形状の第１の穴５に組み込まれた円筒体４によって構成されている。
【００４０】
円筒体４は、単一のシェル６から、又は、前方連結によって互いに軸線方向に連結可能な第１の半割りシェル７ａ及び第２の半割りシェル７ｂから成るものとすることができる。
【００４１】
この例では、第１の半割りシェル７ａは、第１の冠形状の頭部１１が設けられたねじ１０の第１の軸部９を回転式に連結するための、軸線方向に延びる第１の座部８を画定するように、実質的に円筒形で中空形状を有する。
【００４２】
ねじ１０の第１の頭部１１は、前記第１の半割りシェル７ａに向いている前記第２の半割りシェル７ｂの平坦部分１４を画定するように弦に沿って切断された端部１３の近傍に設けられた第２の座部１２内に、回転可能に配置され得る。
【００４３】
かかる第２の座部１２は、第１の座部８が配置される面に垂直な面に沿って得られ、実質的に半円形の形状を有し、２つの仕切り１５ａ、１５ｂの間に存在し、仕切り１５ａ、１５ｂのうち、第１の半割りシェル７ａに向いている前方の仕切り１５ａは、第１の座部８と同じ軸線に沿った第１の軸部９の設置及び通過のための半円形の開口部１６を有する。
【００４４】
したがって、ねじ１０の第１の頭部１１の一部は、第２の座部１２から突出しており、第１の半割りシェル７ａから第２の半割りシェル７ｂの方向に突出している第１のタブ１７よりも下に存在する。
【００４５】
第１のタブ１７は、前記第２の半割りシェル７ｂと組み合わされたときに、第２の半割りシェル７ｂの切断端部１３の、したがって更にその下にあるねじ１０の第１の冠形状の頭部１１の上に存在するようになるまで、円弧に沿って延びている。
【００４６】
第２の半割りシェル７ｂには、第１の座部８の軸線に対して、したがって第１の軸部９の軸に対して直角に、平坦部分１４から始まる第３の座部１８が設けられており、第３の座部１８は、下方の領域において開口しており、隣接する第２の座部１２には接続されていない。
【００４７】
平坦部分１４と、第１の半割りシェル７ａの外周面１９ａ及び第２の半割りシェル７ｂの外周面１９ｂとの間の距離は、ねじ１０の第１の頭部１１の高さに実質的に等しく、したがってねじ１０は、円筒体４を越えて突出しない。
【００４８】
円筒体４の外側に突出しており且つ第２の座部１２に収容された第１の頭部１１と運動学的に連結するように構成されている第２の頭部２２が設けられたピニオン２１の第２の軸部２０を、第３の座部１８内に一時的に配置することが可能である。
【００４９】
第２の軸部２０の一時的な相互作用は、環状の溝２３の存在により行われ、この環状の溝２３は、第２の軸部２０の端部の近傍に設けられており、第３の座部１８の端部の近傍にて突出している環状の突条２４と選択的に相互作用する。
【００５０】
円筒体４へのピニオン２１の安定した一時的な連結が、こうして実現される。
【００５１】
第２の半割りシェル７ｂは、切断端部１３から始まって前方仕切り１５ａに設けられた開口部１６を取り囲むようにして、第１の半割りシェル７ａの方向に第１の座部８と同軸である円弧に従うように突出しており、第１の半割りシェル７ａを第２の半割りシェル７ｂと軸線方向に連結している間、第１の座部８の中に第１の座部８の内側側面に隣接して配置されるようになっている第２のタブ２５を有する。
【００５２】
ねじ１０の第１の軸部９の第１の端部２６は、次いで第１の冠形状の頭部１１から突出し、第２のタブ２５上に回転可能に載置される。
【００５３】
ピニオン２１の第２の頭部２２は、平坦部分１４から突出しており、シェルフ２内に設けられるように構成されている第２の穴２８によって構成された第４の座部２７の中に、前記シェルフ２の内部にあるか又は前記シェルフ２の上面２９と実質的に面一となるように、収容されている。
【００５４】
このようにして、ピニオン２１の第２の頭部２２はまた、ねじ１０の第１の冠形状の頭部１１に動きをもたらすことに加えて、第２の頭部２２が円筒体４をシェルフ２の中にロックするという点で、引き抜き防止部又はボルトの機能も有する。
【００５５】
ピニオン２１の第２の頭部２２の第２の上端部３０には、加圧ツールの係合のための手段が設けられており、この手段は、ねじ回し又は圧力によって動作する特定のツールなどのツールを押圧によって中に配置可能である第５の座部３１によって構成されている。
【００５６】
また、側壁３に横方向に第３の穴３２が設けられており、また、ねじ１０の第１の軸部９の第３の端部３４の相互接続のために、内部にねじ部を有するブシュ３３をその穴に配置又は螺着可能である。
【００５７】
相互接続は異なる態様でも行うことができ、例えば、第１の軸部９に合板用のねじ部を持たせることもできる。
【００５８】
上面２９の反対側にあるシェルフ２の下面に、第３の座部１８と軸線が整列された第４の穴３５が設けられている。
【００５９】
したがって、その使用においては、本発明は、結合装置１がシェルフ２及び側壁３の両方の中に完全に収容され、第２の穴２８のみが見えているという点で、隠蔽型の結合装置１によって構成されているということになる。
【００６０】
内側にねじ１０を備えた状態で閉じた円筒体４を得るために、第１の半割りシェル７ａ及び第２の半割りシェル７ｂを互いに軸線方向に組み付ける場合、第１の穴５に円筒体４が挿入される。
【００６１】
次いで、第２の頭部２２と第１の頭部１１との間の運動学的な相互作用が可能になるよう円筒体４に一時的にロックされるように、ピニオン２１が、シェルフ２に設けられた第２の穴２８を通して、第２の座部１８に挿入される。
【００６２】
第２の穴２８を通してピニオン２１に加えられる回転により、側壁３に組み込まれたねじ付きブシュ３３内に第１のねじ１０を螺入することが可能になる。
【００６３】
このように、構造的にコンパクトであり、迅速且つ単純に組み立て可能であり、薄い厚さのパネルでも使用可能であり、取り付けのために必要なパネルに対する加工が最小限に抑えられ、パネルに対するこの機械加工によって生じる空間が本発明を提供するために最大限に利用されるようになっており、更にパネルを損なうことが回避される結合装置１が提供されており、本発明が意図した目標及び目的を達成していることが分かっている。
【００６４】
更に、本発明は、結合装置１がシェルフ２及び側壁３の両方に完全に収容され、第２の穴２８のみが見えているので、その挿入部が隠されていることにより、パネルにほとんど影響を与えない。
【００６５】
更に、ピニオン２１の作動が、単純、且つパネル及び装置の構成要素の両方の機械加工公差に拘わらず長期間にわたって有効になることが確認されている。実際には、第２の穴２８を通してピニオン２１に加えられた単純な回転により、第１のねじ１０を、側壁３に組み込まれたねじ付きブシュ３３に螺入することが可能になる。
【００６６】
更に、ピニオン２１が、円筒体４の外側に突出しており且つシェルフ２に設けられるように構成された第２の穴２８に、シェルフ２の内部にあるか又はシェルフ２の上面２９と実質的に面一になるように収容され、円筒体４をシェルフ２の中にロックすることを可能にすることにより、ピニオン２１の第２の頭部２２は引き抜き防止部又はボルトの機能を果たすことが分かっている。
【００６７】
最後に、ピニオン２１は、円筒体４をシェルフ２から引き抜く必要なく、ピニオン２１が中に収容される円筒体４から第２の穴２８を通して単純に取り外し可能であり、且つ、同様に単純に交換可能であるので、ピニオン２１の保守が迅速且つ容易に行われ得ることが確認されている。
【００６８】
本発明に多数の修正及び変形を行うことが可能であり、これらの修正及び変形が全て添付の特許請求の範囲の範囲内にあることは、明らかである。使用される材料、並びに本発明の個々の構成要素を構成する寸法は、当然ながら、特定の用件に応じたより妥当なものであってもよい。
【００６９】
有利である、便利であるなどとして示される特徴はまた、省略するか、又は等価物と入れ替えてもよい。
【００７０】
本願が優先権を主張する伊国特許出願第１０２０１５００００２８４１３号（ＵＢ２０１５Ａ００１７３６）における開示は、参照により本明細書に組み込まれる。
【００７１】
いずれかの請求項に記述された技術的特徴に参照符号が付されている場合、これらの参照符号は、ただこれらの請求項の理解し易さを高めるという目的のためだけに含まれたものであり、したがって、かかる参照符号は、かかる参照符号によって例示的に識別される各要素の解釈に対して、限定する効果を何ら有さない。
【図１】
2018529892.tif 000003
【図２】
2018529892.tif 000004
【図３】
2018529892.tif 000005
【図４】
2018529892.tif 000006
【図５】
2018529892.tif 000007
【図６】
2018529892.tif 000008
【図７】
2018529892.tif 000009
【国際調査報告】
2018529892.tif 000010
2018529892.tif 000011